【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
パケット化マルチメディア・データを受信し、このパケット化マルチメディア・データを、イーサネット（登録商標）・ネットワークを介して、送信するサーバ装置であって、
同期情報を含むパケット化マルチメディア・データをシステム・ヘッドエンドから受信するための入力部と、
クロックと、
前記入力部および前記クロックに接続されており、前記同期情報に応じて前記クロックを前記システム・ヘッドエンドに関連するクロックに同期させる制御装置であって、前記パケット化マルチメディア・データの受信に応答して、各々が前記入力部に於けるそれぞれのマルチメディア・データ・パケットの受信時を示す第１のタイム・スタンプを生成し、更に、前記パケット化マルチメディア・データと前記第１のタイム・スタンプとを含むデータ・フレームを生成する、前記制御装置と、
前記イーサネット（登録商標）・ネットワークに接続されており、前記データ・フレームをクライアント・デバイスに送信するための出力部と、
前記制御装置、前記クロックおよび前記出力部に接続されており、各々がそれぞれのデータ・フレームの前記イーサネット（登録商標）・ネットワーク上への送出時を示す第２のタイム・スタンプを物理層で前記それぞれのデータ・フレーム中に配置するタイム・スタンプ付加デバイスと、
を含み、
クライアント・デバイスが、前記第１のタイム・スタンプに応答して、自己に於けるデータ・フロー・レートを制御して、前記パケット化マルチメディア・データの前記サーバ装置の前記入力部に於ける受信レートに対応するようにし、前記第２のタイム・スタンプに応答して、自己に関連するクロックを前記サーバ装置に関連する前記クロックに同期させるように構成された、前記サーバ装置。
【請求項２】
前記イーサネット（登録商標）・ネットワーク上で衝突状態が検出された場合に、前記タイム・スタンプ付加デバイスが、前記データ・フレームの前記イーサネット（登録商標）・ネットワーク上への送出前に、新たな第２のタイム・スタンプを生成して、前記データ・フレームに於いて前の前記第２のタイム・スタンプを前記新たな第２のタイム・スタンプに置き換える、請求項１記載のサーバ装置。
【請求項３】
前記クライアント・デバイスが、各々がそれぞれのデータ・フレームの前記クライアント・デバイスへの到着時を示す第３のタイム・スタンプをそれぞれのデータ・フレームに付加し、更に、前記第２のタイム・スタンプと前記第３のタイム・スタンプとを比較して自己に関連する前記クロックを前記サーバ装置に関連する前記クロックに同期させるように構成された、請求項１記載のサーバ装置。
【請求項４】
前記タイム・スタンプ付加デバイスには、受信制御装置、タイム・スタンプ生成器および巡回冗長検査生成器に接続されており、前記第２のタイム・スタンプを生成して物理層で各データ・フレーム中に配置するマルチプレクサが含まれている、請求項２記載のサーバ装置。
【請求項５】
前記イーサネット（登録商標）・ネットワークには無線ネットワークが含まれている、請求項２記載のサーバ装置。
【請求項６】
前記データ・フレームがＵＤＰフレームに対応する、請求項２記載のサーバ装置。
【請求項７】
イーサネット（登録商標）・ネットワークを介してパケット化マルチメディア・データを送信する方法であって、
サーバ装置に於いて、同期情報を有するパケット化マルチメディア・データをシステム・ヘッドエンドから受信するステップと、
前記同期情報に応じてサーバ・クロックを前記システム・ヘッドエンドに関連するクロックに同期させるステップと、
前記パケット化マルチメディア・データの前記受信に応答して、各々が前記サーバ装置に於けるそれぞれのマルチメディア・データ・パケットの受信時を示す第１のタイム・スタンプを生成するステップと、
前記パケット化マルチメディア・データと前記第１のタイム・スタンプとを含むデータ・フレームを生成するステップと、
各々がそれぞれの前記データ・フレームの前記イーサネット（登録商標）・ネットワーク上への送出時を示す第２のタイム・スタンプを生成して物理層でそれぞれの前記データ・フレーム中に配置する配置ステップと、
前記データ・フレームを前記イーサネット（登録商標）・ネットワーク上に送出して前記データ・フレームをクライアント・デバイスに送信するステップと、
を含み、
前記クライアント・デバイスが、前記第１のタイム・スタンプに応答して、自己に於けるデータ・フロー・レートを制御して、前記パケット化マルチメディア・データの前記サーバ装置に於ける受信レートに対応するようにし、前記第２のタイム・スタンプに応答して、自己に関連するクロックを前記サーバ・クロックに同期させる、前記方法。
【請求項８】
前記イーサネット（登録商標）・ネットワーク上で衝突状態が検出された場合に、前記データ・フレームの前記イーサネット（登録商標）・ネットワーク上への送出の際に新たな第２のタイム・スタンプが生成されて前記データ・フレーム中に配置される、請求項７記載の方法。
【請求項９】
前記配置ステップには、受信制御装置、タイム・スタンプ生成器および巡回冗長検査生成器の各出力を多重化して、前記第２のタイム・スタンプを物理層で配置するステップが含まれる、請求項７記載の方法。
【請求項１０】
前記クライアント・デバイスが、各々がそれぞれの前記データ・フレームの前記クライアント・デバイスへの到着時を示す第３のタイム・スタンプをそれぞれの前記データ・フレームに付加し、更に、前記第２のタイム・スタンプと前記第３のタイム・スタンプとを比較して自己に関連する前記クロックを前記サーバ・クロックに同期させる、請求項７記載の方法。
【請求項１１】
イーサネット（登録商標）・ネットワークを介するデータ・フレームの受信に応じてクライアント・デバイスを制御する方法であって、
サーバ装置に於いて、システム・ヘッドエンドから同期情報を含むパケット化マルチメディア・データを受信し、前記同期情報に応じて前記サーバ装置に関連するクロックを前記システム・ヘッドエンドに関連するクロックに同期させ、前記パケット化マルチメディア・データと、前記サーバ装置に於けるそれぞれのマルチメディア・データ・パケットの受信時を示す第１のタイム・スタンプと、それぞれの前記データ・フレームの前記イーサネット（登録商標）・ネットワーク上への送出時を示す第２のタイム・スタンプとを含む前記データ・フレームを生成するステップと、
前記サーバ装置によって送信された前記データ・フレームを前記クライアント・デバイスに於いて受信するステップと、
前記クライアント・デバイスに於いて、前記データ・フレームの受信の際に、各々が前記イーサネット（登録商標）・ネットワークを介するそれぞれの前記データ・フレームの受信時を示す第３のタイム・スタンプを生成して物理層でそれぞれの前記データ・フレーム中に配置する配置ステップと、
前記第１のタイム・スタンプに応じて、前記パケット化マルチメディア・データの前記クライアント・デバイスのデコーダへの伝送レートを制御して、前記パケット化マルチメディア・データの前記サーバ装置に於ける受信レートに対応させるステップと、
前記第２のタイム・スタンプおよび前記第３のタイム・スタンプに応じて、前記クライアント・デバイスに関連するクロックを前記サーバ装置に関連する前記クロックに同期させるステップと、
を含む前記方法。
【請求項１２】
前記配置ステップには、受信制御装置、タイム・スタンプ生成器および巡回冗長検査生成器の各出力を多重化して、前記第３のタイム・スタンプを生成して物理層で配置するステップが含まれている、請求項１１記載の方法。
【請求項１３】
前記第２のタイム・スタンプと前記第３のタイム・スタンプとを比較し、その比較結果に基づいて、前記クライアント・デバイスに関連する前記クロックの周波数を制御することによって、前記クライアント・デバイスに関連する前記クロックを前記サーバ装置に関連する前記クロックに同期させる、請求項１１記載の方法。
【手続補正２】
【補正対象書類名】明細書
【補正対象項目名】００４９
【補正方法】変更
【補正の内容】
【００４９】
図９は、タイム・スタンプ付加ボード４０４を示すブロック図である。タイム・スタンプ付加ボードは、イーサネット（登録商標）ネットワーク９０２に接続された、例えばＲＪ４５などの入力ジャック９０４を含んでいる。入力ジャック９０４は、１０／１００Ｂａｓｅ−ＴＸ  ＰＨＹ変圧器９０６に接続される。変圧器９０６は物理層デバイス９０８に接続され、この物理層デバイス９０８は、１０ＢＡＳＥ−Ｔイーサネット（登録商標）プロトコルおよび１００ＢＡＳＥ−Ｘイーサネット（登録商標）プロトコルの何れにも対応するＰＭＤ（Ｐｈｙｓｉｃａｌ  Ｍｅｄｉｕｍ  Ｄｅｐｅｎｄｅｎｔ）サブレイヤが一体化されたフル機能（ｆｕｌｌ  ｆｅａｔｕｒｅ）物理層デバイスである。物理層デバイス９０８は、物理層デバイス９０８とタイム・スタンプ制御装置９１６の間で電圧レベルを変換するバス・バッファ９１２に接続される。バス・バッファ９１２は、低電圧ＣＭＯＳ８ビットバス・バッファである。これは低電力且つ高速の３．３Ｖのアプリケーションで理想的であり、５Ｖ信号環境と入力および出力の双方についてインターフェースをとることができる。バス・バッファ９１２はタイム・スタンプ制御装置９１６に接続され、タイム・スタンプ制御装置９１６は、ＵＤＰチェックサムのリセット、タイム・スタンプの配置、および新しい巡回冗長検査の再計算を含む、受信方向および送信方向の双方の有効なデータ・フレームのタイム・スタンプ付加機能の大部分を制御し、実行する。